(57)【要約】      （修正有）【課題】小さなスペースで保管・輸送が可能な折り畳み方式とし、落下しても壊れることのない組立容器を提供する。【解決手段】弾力性を有する四辺形からなる天板のアーチ状に湾曲する支点を有する平行する二辺の延長上に、開閉自在なる折り曲げ線をもって折り返す一対の水平板を設け、この折り曲げ線に平行する３本の開閉自在なる折り曲げ線をもって逆Ｔ字形に整形した連結体直立部を有する連結体の両端の連結板を、一対の水平板に接合した装着体の水平板上に、アーチ状の天板と水平板により形成される平行する二角内に、平行する二辺が収まるところの四辺形の整形体を重ね合わせ、この整形体の上層固定孔に連結体直立部を挿入し、下層収納孔に連結体の並列した連結板を収め、収納物を天板に設けた貫通孔に貫通して整形体上に設置して、小さなスペースで保管・輸送が可能な折り畳み式組立容器となる。【選択図】図９
0003163521.tif 000002
【実用新案登録請求の範囲】
【請求項１】
互いに平行となる両端にて開閉自在なる折り曲げ線をもって折り畳み、互いに重ね合わせられるところの弾力性を有する四辺形の天板と水平板からなる環状装着板のうち、この折り曲げ線を支点としてアーチ状に湾曲した前記天板と、開閉自在なる折り曲げ線をもって隆起するところの水平板直立部を整形した前記水平板により形成される二角内に、互いに平行する二辺が収まるところの四辺形の整形板を付設し、この整形板に設けた固定孔に前記水平板直立部を係合し、収納物を前記天板に設けた貫通孔に貫通して前記整形板上に載置した折り畳み式組立容器。
【請求項２】
前記環状装着板において、この天板のアーチ状に湾曲する支点となる平行する二辺の延長上に、開閉自在なる折り曲げ線をもって折り返して前記天板に重ね合わせられるところの一対の左水平板・右水平板からなる板状装着板の前記左水平板・右水平板に、この折り曲げ線に平行するところの３本の開閉自在なる折り曲げ線をもって、左右の一対の連結板の間に一対の直立板を設けた四辺形の連結体のうちの前記連結板を、それぞれ接合して環状とするところの装着体のうち、前記連結体の一対の連結板と、中央の折り曲げ線にて二つ折りして一対の直立板を重ね合わせた連結体直立部を逆Ｔ字状に整形して、前記天板をアーチ状に湾曲する支点に形成される二角内に前記整形板を付設し、この整形板に設けた固定孔に前記連結体直立部を係合し、収納物を前記天板に設けた貫通孔に貫通して前記整形板上に載置した請求項１記載の折り畳み式組立容器。
【請求項３】
前記整形板において、この整形板とそれぞれ同等なる外形形状からなる上層整形板と下層整形板のうち、前記整形板の固定孔と同等なる上層固定孔を有する上層整形板と、前記連結体の一対の連結板と連結体直立部を逆Ｔ字状に整形した状態において、水平状態に並列される一対の連結板が収まるところの下層収納孔を有する下層整形板を重ね合わせて互いに接合した整形体を、前記天板をアーチ状に湾曲する支点に形成される二角内に付設し、この整形体の上層固定孔に前記連結体直立部を係合し、収納物を前記天板に設けた貫通孔に貫通して前記整形体上に載置した請求項２記載の折り畳み式組立容器。
【請求項４】
開閉自在なる折り曲げ線を有する四角のうちの対角線上の二角をもって折り畳まれるところの、垂直断面形状が四辺形なる筒状の設置体の、前記整形体の上層固定孔と同等なる設置体固定孔をそれぞれ設けた一対の四辺形の上板・下板のうち、上板に設ける係止孔内に収納物下部を埋没させ、下板を前記整形体上に重ね合わせて、前記連結体直立部を前記設置体固定孔に挿入した前記設置体を、前記装着体に着脱自在に装着した請求項３記載の折り畳み式組立容器。
【請求項５】
開閉自在なる折り曲げ線を有する四角のうちの対角線上の二角をもって折り畳まれるところの、収納物を投入する水平断面形状が四辺形なる筒状の保持外枠を、前記天板に設けた貫通孔に貫通して前記整形体上に設置して、前記装着体に着脱自在に装着した請求項３記載の折り畳み式組立容器。
【請求項６】
前記保持外枠の側板に平行する外枠仕切板の、四辺形からなる仕切板の四辺のうちの平行する二辺の延長上に開閉自在なる折り曲げ線をもって設けた一対の接合板を、前記保持外枠を形成する四側板のうちの平行する二側板に接合した請求項５記載の折り畳み式組立容器。
【請求項７】
開閉自在なる折り曲げ線を有する四角のうちの対角線上の二角をもって折り畳まれるところの、収納物を投入する水平断面形状が四辺形なる筒状の分割内板の側板に平行する内枠仕切板の、四辺形からなる仕切板の四辺のうちの平行する二辺の延長上に開閉自在なる折り曲げ線をもって設けた一対の接合板を、前記分割内板を形成する四側板のうちの平行する二側板に接合し、この分割内枠を前記保持外枠内に着脱自在に装着した請求項５記載の折り畳み式組立容器。
【請求項８】
開閉自在なる折り曲げ線を有する四角のうちの対角線上の二角をもって折り畳まれるところの、垂直断面形状が四辺形なる筒状の保持内枠を形成する一対の四辺形の上板・下板のうち、上板に収納物の投入孔を設け、下板上に貯水容器を設置し、この保持内枠を前記保持外枠内に着脱自在に装着した請求項５記載の折り畳み式組立容器。
【請求項９】
前記保持内枠の下板に、前記整形体の上層固定孔と同等にて前記連結体直立部を挿入するところの内枠固定孔を設け、この内枠固定孔の平行する二辺に沿って直立する一対の四辺形からなる保持板の下辺の延長上に、水平状態の一対の固定板を開閉自在なる折り曲げ線をもって設けた分割保持板の前記固定板を、前記保持内枠の下板上に接合し、この分割保持板を界にして一対の分割貯水容器を設置した前記保持内枠を、前記保持外枠内に着脱自在に装着した請求項８記載の折り畳み式組立容器。
【請求項１０】
前記保持外枠において、この下部開口内の対角線上に、前記連結体直立部を嵌め込みできるところの水平断面形状の大きさからなる自立保持外枠を、前記天板に設けた貫通孔に貫通して前記整形体上に設置し、前記装着体に着脱自在に装着した請求項５記載の折り畳み式組立容器。
【請求項１１】
前記保持外枠において、前記板状装着板の一対の左水平板・右水平板を垂直状態とした前記装着体の、アーチ状なる前記天板に設ける上下に一対の貫通孔・係止孔のうちの上部の貫通孔に貫通し、下部の係止孔の開口辺にて係止できるところの水平断面形状の大きさからなる壁掛保持外枠内に、前記保持内枠において一対の四辺形の上板・下板が前記壁掛保持外枠内に挿入できる大きさからなる壁掛保持内枠を、着脱自在に装着した請求項８記載の折り畳み式組立容器。
【考案の詳細な説明】
【技術分野】
【０００１】  本考案は、家庭・事務所等で使用されるもので、主として一輪挿しの花瓶や、ペン立て等の容器に関するものである。
【背景技術】
【０００２】  従来、家庭・事務所等で使用される花瓶や、ペン立て等の容器は、ガラスや陶磁器製にて筒状・壺状に成形していた。
【考案の概要】
【考案が解決しようとする課題】
【０００３】  ガラスや陶磁器製にて筒状・壺状に成形された容器は、形状が筒状・壺状であることより保管・輸送に大きなスペースを必要とすることになる。そして、落下等しただけでこれが壊れたり、取り扱い中に物に当たってこれが壊れたりするため細心の注意を払う必要があつた。【０００４】  本考案は、上述のような問題点に鑑みてなされたものであり、その目的とするところは、小さなスペースで保管・輸送が可能な折り畳み方式とし、落下等しても壊れることのない組立容器を得ることを目的とする。
【課題を解決するための手段】
【０００５】  本考案の折り畳み式組立容器の第１の課題解決手段は、互いに平行となる両端にて開閉自在なる折り曲げ線をもって折り畳み、互いに重ね合わせられるところの弾力性を有する四辺形の天板と水平板からなる環状装着板のうち、この折り曲げ線を支点としてアーチ状に湾曲した天板と、開閉自在なる折り曲げ線をもって隆起するところの水平板直立部を整形した水平板により形成される二角内に、互いに平行する二辺が収まるところの四辺形の整形板を付設し、この整形板に設けた固定孔に水平板直立部を係合し、収納物を天板に設けた貫通孔に貫通して整形板上に載置し、環状装着板が開閉自在なる折り曲げ線をもって扁平状に折り畳みができる組立容器とするものである。【０００６】  また、第２の課題解決手段は、天板のアーチ状に湾曲する支点となる平行する二辺の延長上に、開閉自在なる折り曲げ線をもって折り返して天板に重ね合わせられるところの一対の左水平板・右水平板からなる板状装着板の左水平板・右水平板に、この折り曲げ線に平行するところの３本の開閉自在なる折り曲げ線をもって、左右の一対の連結板の間に一対の直立板を設けた四辺形の連結体のうちの連結板を、それぞれ接合して環状とするところの装着体のうち、連結体の一対の連結板と、中央の折り曲げ線にて二つ折りして一対の直立板を重ね合わせた連結体直立部を逆Ｔ字状に整形して、天板をアーチ状に湾曲する支点に形成される二角内に整形板を付設し、この整形板に設けた固定孔に連結体直立部を係合し、収納物を天板に設けた貫通孔に貫通して整形板上に載置し、板状装着板と連結体からなる装着体が、開閉自在なる折り曲げ線をもって扁平状に折り畳みができる組立容器とするものである。【０００７】  また、第３の課題解決手段は、整形板とそれぞれ同等なる外形形状からなる上層整形板と下層整形板のうち、整形板の固定孔と同等なる上層固定孔を有する上層整形板と、連結体の一対の連結板と連結体直立部を逆Ｔ字状に整形した状態において、水平状態に並列される一対の連結板が収まるところの下層収納孔を有する下層整形板を重ね合わせて互いに接合した整形体を、天板をアーチ状に湾曲する支点に形成される二角内に付設し、この整形体の上層固定孔に連結体直立部を係合し、収納物を天板に設けた貫通孔に貫通して整形体上に載置し、整形体が装着体に安定した状態となる組立容器とするものである。【０００８】  また、第４の課題解決手段は、開閉自在なる折り曲げ線を有する四角のうちの対角線上の二角をもって折り畳まれるところの、垂直断面形状が四辺形なる筒状の設置体の、整形体の上層固定孔と同等なる設置体固定孔をそれぞれ設けた一対の四辺形の上板・下板のうち、上板に設ける係止孔内に収納物下部を埋没させ、下板を整形体上に重ね合わせて、連結体直立部を設置体固定孔に挿入した設置体を、装着体に着脱自在に装着し、収納物が設置体に安定した状態にて設置できる組立容器とするものである。【０００９】  また、第５の課題解決手段は、開閉自在なる折り曲げ線を有する四角のうちの対角線上の二角をもって折り畳まれるところの、収納物を投入する水平断面形状が四辺形なる筒状の保持外枠を、天板に設けた貫通孔に貫通して整形体上に設置して、装着体に着脱��在に装着し、収納物が保持外枠に安定した状態にて設置できる組立容器とするものである。【００１０】  また、第６の課題解決手段は、保持外枠の側板に平行する外枠仕切板の、四辺形からなる仕切板の四辺のうちの平行する二辺の延長上に開閉自在なる折り曲げ線をもって設けた一対の接合板を、保持外枠を形成する四側板のうちの平行する二側板に接合し、収納物が分割した保持外枠に安定した状態にて設置できる組立容器とするものである。【００１１】  また、第７の課題解決手段は、開閉自在なる折り曲げ線を有する四角のうちの対角線上の二角をもって折り畳まれるところの、収納物を投入する水平断面形状が四辺形なる筒状の分割内板の側板に平行する内枠仕切板の、四辺形からなる仕切板の四辺のうちの平行する二辺の延長上に開閉自在なる折り曲げ線をもって設けた一対の接合板を、分割内板を形成する四側板のうちの平行する二側板に接合し、この分割内枠を保持外枠内に着脱自在に装着し、収納物を分割した分割内枠を保持外枠内に装着して、収納物が安定した状態にて設置できる組立容器とするものである。【００１２】  また、第８の課題解決手段は、開閉自在なる折り曲げ線を有する四角のうちの対角線上の二角をもって折り畳まれるところの、垂直断面形状が四辺形なる筒状の保持内枠を形成する一対の四辺形の上板・下板のうち、上板に収納物の投入孔を設け、下板上に貯水容器を設置し、この保持内枠を保持外枠内に着脱自在に装着し、貯水容器の取付け・取外しが、保持内枠を保持外枠内に取付け・取外しをすることで簡単となるところの組立容器とするものである。【００１３】  また、第９の課題解決手段は、保持内枠の下板に、整形体の上層固定孔と同等にて連結体直立部を挿入するところの内枠固定孔を設け、この内枠固定孔の平行する二辺に沿って直立する一対の四辺形からなる保持板の下辺の延長上に、水平状態の一対の固定板を開閉自在なる折り曲げ線をもって設けた分割保持板の固定板を、保持内枠の下板上に接合し、この分割保持板を界にして一対の分割貯水容器を設置した保持内枠を、保持外枠内に着脱自在に装着し、直立する分割保持板により一対の分割貯水容器がスムーズに装着できるところの組立容器とするものである。【００１４】  また、第１０の課題解決手段は、保持外枠において、この下部開口内の対角線上に、連結体直立部を嵌め込みできるところの水平断面形状の大きさからなる自立保持外枠を、天板に設けた貫通孔に貫通して整形体上に設置し、装着体に着脱自在に装着し、自立保持外枠の直立状態が安定するところの組立容器とするものである。【００１５】  また、第１１の課題解決手段は、保持外枠において、板状装着板の一対の左水平板・右水平板を垂直状態とした装着体の、アーチ状なる天板に設ける上下に一対の貫通孔・係止孔のうちの上部の貫通孔に貫通し、下部の係止孔の開口辺にて係止できるところの水平断面形状の大きさからなる壁掛保持外枠内に、保持内枠において一対の四辺形の上板・下板が壁掛保持外枠内に挿入できる大きさからなる壁掛保持内枠を、着脱自在に装着し、壁掛貯水容器の取付け・取外しが、壁掛保持内枠を壁掛保持外枠内に取付け・取外しをすることで簡単となるところの組立容器とするものである。
【考案の効果】
【００１６】  上述の様に、第１の考案効果は、平行する両端の折り曲げ線をもって、重ね合わされる天板と水平板からなる環状装着板にて、水平板に隆起する水平板直立部を設けて両端の折り曲げ線間隔を短縮し、この水平板上に付設する整形板に設けた固定孔に水平板直立部を係合して、天板をアーチ状に安定した湾曲状態とし、収納物を天板の貫通孔に貫通して整形板上に設置するところの、折り畳み式にて小さなスペースで保管・輸送が可能な一輪挿しやペン立て等の組立容器となる。【００１７】  また、第２の考案効果は、上述の環状装着板を、天板の両端に折り返した一対の水平板に、３本の折り曲げ線をもって逆Ｔ字状に整形する連結体の両端の連結板を接合した折り畳み式の装着体とし、連結体の連結体直立部を整形板の固定孔に係合して、シンプルで小さな構成部品でもって装着体は安定した状態となる。【００１８】  また、第３の考案効果は、上述の整形板を、連結体直立部を係合するところの上層固定孔を有する上層整形板と、連結体の並列した一対の連結板が収まるところの下層収納孔を有する下層整形板との二重構造となる整形体とし、この整形体は連結体の連結板に接触することなく水平板上に重ね合わされることとなり、装着体は安定した状態となる。【００１９】  また、第４の考案効果は、一対の上板・下板と一対の側板による四面体からなる折り畳み式の設置体を整形体上に設置し、上板に設ける係止孔に収納物下部を埋没して、収納物は安定した状態となる。【００２０】  また、第５の考案効果は、収納物を投入するところの筒状の折り畳み式の保持外枠を、天板の貫通孔に貫通して整形体上に設置して、収納物は安定した状態となる。【００２１】  また、第６の考案効果は、保持外枠内に二分割するところの外枠仕切板を装着し、収納物は分割されて安定した状態となる。【００２２】  また、第７の考案効果は、内枠仕切板をもって二分割したところの、収納物を投入するところの筒状の折り畳み式の分割内枠を、保持外枠内に装着し、収納物は分割されて安定した状態となるとともに、収納物を分割して収納する必要のない場合、分割内枠を取外して外枠仕切板のない保持外枠として使用することができる。【００２３】  また、第８の考案効果は、一対の上板・下板と一対の側板による四面体からなり、この上板に収納物を投入するところの投入孔を設け、下板上に貯水容器を設置した折り畳み式の保持内枠を、保持外枠内に装着し、この保持内枠は上板の投入孔をもって上方向に引き上げられて、貯水容器の取付け・取外しが簡単となる。【００２４】  また、第９の考案効果は、上述の保持内枠の下板に、連結体直立部を係合する内枠固定孔を設け、この内枠固定孔の平行する二辺に沿って直立するところの左分割保持板・右分割保持板を界にして、スムーズに一対の分割貯水容器を装着することができる。【００２５】  また、第１０の考案効果は、上述の保持外枠を、この下部開口内の対角線上に連結体直立部を嵌め込みできるところの自立保持外枠とし、自立保持外枠を安定した直立状態にすることができる。【００２６】  また、第１１の考案効果は、上述の保持外枠を、水平板を垂直状態とした装着体の天板に設けた上下に一対の貫通孔・係止孔のうち、上部の貫通��に貫通して下部の係止孔にて係止されるところの壁掛保持外枠とし、また、上述の保持内枠を、壁掛保持外枠内に装着される大きさの壁掛保持内枠として下板上に壁掛貯水容器を設置し、この壁掛保持内枠は上板の投入孔をもって上方向に引き上げられて、壁掛貯水容器の取付け・取外しが簡単となる。
【図面の簡単な説明】
【００２７】
【図１】本考案の実施の形態１を示す組立容器の正面より見た要部断面図である。
【図２】同環状装着板の折り畳まれた状態の正面より見た要部断面図である。
【図３】同環状装着板の展開図である。
【図４】同整形板の平面図である。
【図５】本考案の実施の形態２を示す組立容器の正面より見た要部断面図である。
【図６】同装着体の折り畳まれた状態の正面より見た要部断面図である。
【図７】同板状装着板の展開図である。
【図８】同連結体の展開図である。
【図９】本考案の実施の形態３を示す組立容器の正面より見た要部断面図である。
【図１０】同整形体の平面図である。
【図１１】同上層整形板の平面図である。
【図１２】同下層整形板の平面図である。
【図１３】本考案の実施の形態４を示す組立容器の正面より見た要部断面図である。
【図１４】同設置体の側面より見た要部断面図である。
【図１５】同設置体の展開図である。
【図１６】本考案の実施の形態５を示す組立容器の正面より見た要部断面図である。
【図１７】同板状装着板の展開図である。
【図１８】同保持外枠の平面より見た要部断面図である。
【図１９】同保持外枠の展開図である。
【図２０】同分割内枠の平面より見た要部断面図である。
【図２１】同分割内板の平面より見た要部断面図である。
【図２２】同分割内板の展開図である。
【図２３】同内枠仕切板の展開図である。
【図２４】本考案の実施の形態６を示す組立容器の正面より見た要部断面図である。
【図２５】同保持内枠の正面より見た要部断面図である。
【図２６】同保持内枠の展開図である。
【図２７】同左分割保持板の展開図である。
【図２８】同右分割保持板の展開図である。
【図２９】本考案の実施の形態７を示す組立容器の正面より見た要部断面図である。
【図３０】同板状装着板の展開図である。
【図３１】同自立保持外枠の平面より見た要部断面図である。
【図３２】同自立保持外枠の展開図である。
【図３３】本考案の実施の形態８を示す組立容器の正面より見た要部断面図である。
【図３４】同板状装着板の展開図である。
【図３５】同壁掛保持外枠の平面より見た要部断面図である。
【図３６】同壁掛保持外枠の展開図である。
【図３７】同壁掛保持内枠の正面より見た要部断面図である。
【図３８】同壁掛保持内枠の展開図である。
【考案を実施するための形態】
【００２８】  以下、本考案の実施の形態を実施例にもとづき図面を参照して説明する。
【実施例１】
【００２９】  先ず、実施の形態１を示す図１〜図４において、組立容器Ａ１は環状装着板Ｂ・整形板Ｃ１より構成されている。【００３０】  環状装着板Ｂは、１枚の厚み０．３ｍｍ程度にて、ある程度の弾性を有するところの厚紙からなり、四辺１Ａ〜１Ｄからなる四角形の外形形状の天板１と、これに水平板２が重ね合わせることができるとともに、天板１と水平板２は環状に形成されるものであり、この水平板２は、中間に位置する四辺４Ａ〜４Ｄからなる四角形の外形形状の中間水平板４の左右に、互いに同等なる大きさの四辺３Ａ〜３Ｄ・５Ａ〜５Ｄからなる四角形の外形形状からなり、この縦辺３Ｂ・３Ｄ、５Ｂ・５Ｄが天板１の縦辺１Ｂ・１Ｄと同等な長さからなる左水平板３・右水平板５を設け、この左水平板３・右水平板５のそれぞれの一方の縦辺３Ｂ・５Ｄに、中間水平板４の縦辺４Ｄ・４Ｂを開閉自在な折り曲げ線２Ｂ・２Ｃをもって連結している。【００３１】  また、中央に四辺形からなる貫通孔１Ｅ・１Ｆを２個設けたところの天板１の一方の縦辺１Ｄには、右水平板５の一方の縦辺５Ｂを開閉自在な折り曲げ線２Ｄをもって連結し、この折り曲げ線２Ｄをもって天板１と水平板２を二つ折りするとともに、左水平板３の一方の縦辺３Ｄの延長上に開閉自在な折り曲げ線２Ａをもって設けたのり代６を、天板１に合成接着剤にて接着しているが、天板１の横辺１Ａ・１Ｃの長さは、水平板２の左水平板３と右水平板５、及び、中間水平板４のそれぞれの横辺３Ａ・５Ａ・４Ａ、または、３Ｃ・５Ｃ・４Ｃを加算した長さと同等としており、二つ折りした天板１と水平板２は重ね合せができるとともに、天板１と水平板２からなる環状装着板Ｂを環状なものとしている。【００３２】  また、中間水平板４は、縦辺４Ｂ・４Ｄに平行して二等分するところの開閉自在な折り曲げ線４Ｅをもって一対の直立板４Ｆ・４Ｇより構成されており、この一対の直立板４Ｆ・４Ｇは折り曲げ線４Ｅにて二つ折りして互いに重ね合わせられる水平板直立部２Ｅを形成し、左水平板３と右水平板５、及び、水平板直立部２Ｅは逆Ｔ字状の断面形状に整形できるものであり、この水平板直立部２Ｅを形成することにより、天板１の縦辺１Ｂ・１Ｄは互いに引き寄せられて、天板１は縦辺１Ｂ・１Ｄを支点としてアーチ状に湾曲することとなるが、天板１を半円形に近いアーチ状に湾曲するために、水平板２の左水平板３と右水平板５、及び、中間水平板４のそれぞれの横辺３Ａ・３Ｃ、５Ａ・５Ｃ、４Ａ・４Ｃのそれぞれの長さは、天板１の横辺１Ａ・１Ｃを三等分した長さにほぼ近いものとしている。【００３３】  整形板Ｃ１は、厚み０．５ｍｍ程度の厚紙にて四辺７Ａ〜７Ｄからなる四角形の外形形状とし、この中央には四辺８Ａ〜８Ｄからなる長方形の固定孔８を設けているが、この固定孔８の長辺８Ｂ・８Ｄは、整形板Ｃ１の縦辺７Ｂ・７Ｄに対して平行となっている。【００３４】  また、環状装着板Ｂにおいて、水平板直立部２Ｅを形成する中間水平板４の縦辺４Ｂ・４Ｄの長さは、連結する左水平板３・右水平板５のそれぞれの縦辺３Ｂ・３Ｄ、５Ｂ・５Ｄより短いものとし、また、中間水平板４の縦辺４Ｂ・４Ｄは左水平板３・右水平板５の縦辺３Ｂ・３Ｄ、５Ｂ・５Ｄの中央にそれぞれ位置しており、この水平板直立部２Ｅを整形板Ｃ１の固定孔８内に挿入することとなるが、固定孔８の大きさは、水平板直立部２Ｅの重ね合わせた直立板４Ｆ・４Ｇの厚紙２枚の水平断面形状とほぼ同等として、水平板直立部２Ｅがスムーズに挿入・取外しができる大きさとしている。【００３５】  また、整形板Ｃ１の外形形状の大きさにおいて、縦辺７Ｂ・７Ｄは天板１の縦辺１Ｂ・１Ｄと同等とし、また、横辺７Ａ・７Ｃは、天板１をアーチ状に湾曲した状態における天板１と左水平板３・右水平板５が形成する二角１Ｇ・１Ｈ内に、整形板Ｃ１の縦辺７Ｂ・７Ｄが収まるところの大きさとしており、この整形板Ｃ１を、天板１をアーチ状に湾曲したところの環状装着板Ｂの左水平板３と右水平板５上に載置して、固定孔８内に水平板直立部２Ｅを挿入するならば、水平板直立部２Ｅの重ね合わせられた直立板４Ｆ・４Ｇは水平状態に開放されることはなく、天板１をアーチ状に湾曲した環状装着板Ｂの二角１Ｇ・１Ｈ内に、整形板Ｃ１の縦辺７Ｂ・７Ｄはそれぞれ固定されることとなる、すなわち、天板１がアーチ状に湾曲した状態は安定することとなる。【００３６】  また、整形板Ｃ１の固定孔８から水平板直立部２Ｅを取外し、天板１をアーチ状に湾曲した環状装着板Ｂの水平板２から整形板Ｃ１を分離するならば、中間水平板４の直立板４Ｆ・４Ｇは水平状態に開放できることとなり、左水平板３と右水平板５の間隔は水平方向に広がることとなり、アーチ状であった天板１は扁平状となり、天板１と水平板２は重ね合わされることとなる。【００３７】  したがって、水平板２の左水平板３・右水平板５上に設置して、水平板直立部２Ｅを固定孔８に挿入して環状装着板Ｂに係止される整形板Ｃ１が、天板１のアーチ状の湾曲状態を安定することとなり、造花や事務用ボールペン等の収納物を、アーチ状なる天板１の貫通孔１Ｅ・１Ｆに貫通して、整形板Ｃ１上に載置することとなる組立容器Ａ１は、環状装着板Ｂが開閉自在なる折り曲げ線２Ａ〜２Ｄ・４Ｅをもって扁平状に折り畳みができ、小さなスペースで保管・輸送が可能な折り畳み式組立容器となる。【００３８】  上述の実施例において、環状装着板Ｂ、整形板Ｃ１は厚紙製としているが、これらをプラスチック板や木製板等とし、また、折り曲げを要する角にのみ折り曲げできるところの紙や軟質なるプラスチック板等を使用してもよい。【００３９】  また、天板１を四辺１Ａ〜１Ｄからなる四角形の外形形状としているが、縦辺１Ｂと１Ｄが平行であれば、四角が直角でないところの四辺形でもよいし、左水平板３・中間水平板４・右水平板５・整形板Ｃ１のそれぞれの縦辺３Ｂ・３Ｄ、４Ｂ・４Ｄ、５Ｂ・５Ｄ、７Ｂ・７Ｄも、天板１の縦辺１Ｂ・１Ｄに平行とするならば、左水平板３・中間水平板４・右水平板５・整形板Ｃ１も四角が直角でないところの四辺形でもよいこととなり、また、天板１・左水平板３・中間水平板４・右水平板５・整形板Ｃ１のそれぞれの横辺１Ａ・１Ｃ、３Ａ・３Ｃ、４Ａ・４Ｃ、５Ａ・５Ｃ、７Ａ・７Ｃも必ず互いに平行とする必要はなく、それぞれが曲線を有するものであってもよい。【００４０】  また、天板１は１枚の厚紙よりある程度の弾性を有するものとしているが、天板１が弾性の弱いものであっても、貫通孔１Ｅ・１Ｆを有する天板１とほぼ同等の外形形状なるもの、または、貫通孔１Ｅ・１Ｆを有する天板１と折り曲げ線２Ａ・２Ｄをもって連結した左水平板３・右水平板５とほぼ同等の外形形状なるものを、天板１及び左水平板３・右水平板５の内側に合成接着剤にて接着して、より弾性を増すように補強してもよい。【００４１】  また、天板１の貫通孔１Ｅ・１Ｆは中央に四辺形からなるものを２個設けているが、２個以外のものを中央以外に配置してもよいし、円形であっても問題はなく形状を規制するものではなく、また、天板１の貫通孔１Ｅ・１Ｆと相違するところの貫通孔を希望する場合、天板１とほぼ同等の外形形状なるものに希望する貫通孔を配置し、この縦辺を、天板１をアーチ状に湾曲した状態における天板１と左水平板３・右水平板５が形成する二角１Ｇ・１Ｈ内に収めて、アーチ状の天板１内側に沿って配設してもよい。【００４２】  また、環状装着板Ｂは、左水平板３の縦辺３Ｄの延長上に設けるのり代６でもって環状なものとしているが、この左水平板３の折り曲げ線２Ａ以外の、水平板２に配設した折り曲げ線２Ｂ〜２Ｄ・４Ｅの延長上にのり代を設けて、環状となるように接着してもよいし、また、のり代６は折り曲げ線２Ａ上にて天板１の外側に接着しているが、天板１の内側に接着してもよいことは言うまでもない。【００４３】  また、重ね合わせて水平板直立部２Ｅを形成する直立板４Ｆ・４Ｇの形状が四角形であることより、水平板直立部２Ｅの側面形状も四角形にて、この上辺両端の角は直角となっているが、この直角な角に丸みをもったものにするならば、水平板直立部２Ｅは整形板Ｃ１の固定孔８内にスムーズに挿入できるものである。【００４４】  また、水平板２の左水平板３と右水平板５、及び、中間水平板４のそれぞれの横辺３Ａ・３Ｃ、５Ａ・５Ｃ、４Ａ・４Ｃの長さは、天板１を半円形に近いアーチ状に湾曲するために、天板１の横辺１Ａ・１Ｃを三等分した長さにほぼ近いものとしているが、この三等分の長さより中間水平板４の横辺４Ａ・４Ｃを短くするならば、天板１のアーチ状の頂点は低くなり、中間水平板４の横辺４Ａ・４Ｃの長さを三等分より長くするならば、天板１のアーチ状の頂点は高くなることとなり、中間水平板４の横辺４Ａ・４Ｃの長さを、天板１の横辺１Ａ・１Ｃを三等分した長さに限定するものではない。
【実施例２】
【００４５】  次に、実施の形態２を示す図５〜８において、組立容器Ａ２は装着体Ｄ１・整形板Ｃ１より構成されており、実施の形態２は上述の実施の形態１における組立容器Ａ１の環状装着板Ｂを、板状装着板Ｅ１と連結体Ｆより環状の装着体Ｄ１とする実施例であり、また、整形板Ｃ１は上述の実施の形態１におけるものと同等であり、この組立容器Ａ２は小さなスペースで保管・輸送が可能な折り畳み式組立容器となるものである。【００４６】  装着体Ｄ１は板状装着板Ｅ１と連結体Ｆより構成されており、板状装着板Ｅ１は、四辺９Ａ〜９Ｄからなる四角形の外形形状からなり、四辺１１Ａ〜１１Ｄからなる四角形の外形形状の天板１１と、この天板１１の左右に、縦辺１１Ｄ・１１Ｂにて折り返したところの互いに同等なる大きさにて、四辺１０Ａ〜１０Ｄ・１２Ａ〜１２Ｄからなる四角形の外形形状の左水平板１０・右水平板１２より構成され、この板状装着板Ｅ１の天板１１・左水平板１０・右水平板１２は、上述の実施の形態１における環状装着板Ｂにおいて、折り曲げ線２Ｂ・２Ｃ上にてこれを分断したところの天板１・右水平板５・左水平板３と同等であり、天板１１の四辺１１Ａ〜１１Ｄ、貫通孔１１Ｅ・１１Ｆ、左水平板１０・右水平板１２の四辺１０Ａ〜１０Ｄ・１２Ａ〜１２Ｄ、折り曲げ線９Ｅ・９Ｆは、上述の実施の形態１における天板１の四辺１Ａ〜１Ｄ、貫通孔１Ｅ・１Ｆ、右水平板５・左水平板３の四辺５Ａ〜５Ｄ・３Ａ〜３Ｄ、折り曲げ線２Ｄ・２Ａにそれぞれ相当するものであるが、上述の実施の形態１におけるのり代６は不要にて、天板１１と右水平板１２は折り曲げ線９Ｆをもって連結している。【００４７】  連結体Ｆも、四辺１３Ａ〜１３Ｄからなる四角形の外形形状からなり、縦辺１３Ｂ・１３Ｄに平行にして３本の開閉自在な折り曲げ線１３Ｈ〜１３Ｊを配設して、左右一対の連結板１４・１７の間に一対の直立板１５・１６を設けており、この一対の直立板１５・１６は、上述の実施の形態１における環状装着板Ｂにおいて、折り曲げ線２Ｂ・２Ｃ上にてこれを分断したところの直立板４Ｆ・４Ｇと同等であり、連結体Ｆの折り曲げ線１３Ｈ〜１３Ｊは、上述の実施の形態１における水平板２の折り曲げ線２Ｂ・４Ｅ・２Ｃにそれぞれ相当するものである。【００４８】  また、上述の実施の形態１における環状装着板Ｂの水平板直立部２Ｅと同様なる要領にて、連結体Ｆの３本の折り曲げ線１３Ｈ〜１３Ｊのうちの中央の折り曲げ線１３Ｉをもって二つ折りし、一対の直立板１５・１６を互いに重ね合わせて連結体直立部１３Ｇを形成し、これを整形板Ｃ１の固定孔８内に挿入して、アーチ状に湾曲した状態における天板１１と、左水平板１０・右水平板１２が形成する二角１１Ｇ・１１Ｈ内に、整形板Ｃ１の縦辺７Ｂ・７Ｄが収まるように、３本の折り曲げ線１３Ｈ〜１３Ｊのうちの両端に位置する折り曲げ線１３Ｈ・１３Ｊの延長上に設けた一対の連結板１４・１７を、板状装着板Ｅ１の左水平板１０・右水平板１２に合成接着剤にてそれぞれ接着して環状となるところの装着体Ｄ１を形成している。【００４９】  したがって、板状装着板Ｅ１と連結体Ｆより環状となる装着体Ｄ１において、上述の実施の形態１における水平板２上に整形板Ｃ１を設置する同様な��要領にて、左水平板１０・右水平板１２を連結するところの連結体Ｆの連結板１４・１７上に載置して、連結体Ｆの連結体直立部１３Ｇを挿入する固定孔８により係止される整形板Ｃ１が、天板１１のアーチ状の湾曲状態を安定することとなり、造花や事務用ボールペン等の収納物を、アーチ状なる天板１１の貫通孔１１Ｅ又は１１Ｆに貫通して、整形板Ｃ１上に載置することとなる組立容器Ａ２は、装着体Ｄ１が開閉自在なる折り曲げ線９Ｅ・９Ｆ、１３Ｈ〜１３Ｊをもって扁平状に折り畳みができ、小さなスペースで保管・輸送が可能な折り畳み式組立容器となる。【００５０】  上述の実施例において、装着体Ｄ１は厚紙製としているが、これらをプラスチック板や木製板等とし、また、折り曲げを要する角にのみ折り曲げできるところの紙や軟質なるプラスチック板等を使用してもよい。【００５１】  また、連結体Ｆは、整形板Ｃ１の固定孔８内に挿入できるところの縦辺１３Ｂ・１３Ｄを巾とする四角形としているが、この連結体Ｆの両端の連結板１４・１７の大きさのみ、互いに接着することとなる板状装着板Ｅ１の左水平板１０・右水平板１２の大きさとそれぞれ同等になるように拡大するならば、互いに接着する場合、拡大する連結体Ｆの縦辺１３Ｂ・１３Ｄを、天板１１と左水平板１０・右水平板１２が形成する二角１１Ｇ・１１Ｈ間に位置合わせすれば簡単となるものであるが、この時、板状装着板Ｅ１の左水平板１０・右水平板１２の大きさは、拡大する連結体Ｆの連結板１４・１７と同等の大きさとする必要はなく、最小限、接着するためののり代としての大きさがあればよい。
【実施例３】
【００５２】  次に、実施の形態３を示す図９〜１２において、組立容器Ａ３は装着体Ｄ１・整形体Ｃ２より構成されており、実施の形態３は上述の実施の形態１における組立容器Ａ１の整形板Ｃ１を、上層整形板１８と下層整形板１９からなる整形体Ｃ２とする実施例であり、また、装着体Ｄ１は上述の実施の形態２におけるものと同等であり、この組立容器Ａ３は小さなスペースで保管・輸送が可能な折り畳み式組立容器となるものである。【００５３】  整形体Ｃ２は、四辺２０Ａ〜２０Ｄからなる四角形の外形形状とし、上層整形板１８と下層整形板１９より構成され、このうちの上層整形板１８は上述の実施の形態１における整形板Ｃ１と同等であり、上層整形板１８の辺１８Ａ〜１８Ｄ、上層固定孔２１、辺２１Ａ〜２１Ｄは、上述の実施の形態１における整形板Ｃ１の辺７Ａ〜７Ｄ、固定孔８、辺８Ａ〜８Ｄにそれぞれ相当するものであり、また、下層整形板１９は厚み２ｍｍ程度の厚紙からなり、外形形状の辺１９Ａ〜１９Ｄは、上述の実施の形態１における整形板Ｃ１の辺７Ａ〜７Ｄにそれぞれ相当するものであるが、下層整形板１９の厚紙の厚みは、左水平板１０・右水平板１２上に接着した連結体Ｆの連結板１４・１７より厚いものにするとともに、下層整形板１９の中央には、四辺２２Ａ〜２２Ｄからなる四角形の下層収納孔２２を設け、この下層収納孔２２の大きさは、連結体Ｆの直立板１５・１６を互いに重ね合わせた場合、水平状態となるところの連結板１４と１７を並列した大きさより一回り大きいものとしており、この下層整形板１９上に上層整形板１８を合成接着剤にて接着している。【００５４】  したがって、上述の実施の形態２における組立容器Ａ２と同様なる要領にて、整形体Ｃ２の上層整形板１８の上層固定孔２１に、連結体Ｆの連結体直立部１３Ｇを挿入して天板１１をアーチ状に湾曲することとなり、また、左水平板１０・右水平板１２上に接着した連結体Ｆの連結板１４・１７は、下層整形板１９の下層収納孔２２内に収納されて、上層整形板１８と下層整形板１９よりなる整形体Ｃ２は、連結体Ｆの連結板１４・１７に接触することなく左水平板１０・右水平板１２上に重ね合わされて、装着体Ｄ１が安定した状態にすることとなる組立容器Ａ３は、小さなスペースで保管・輸送が可能な折り畳み式組立容器となるものである。【００５５】  上述の実施例において、整形体Ｃ２の上層整形板１８と下層整形板１９は厚紙製としているが、これをプラスチック板や木製板等を使用してもよい。【００５６】  また、整形体Ｃ２を装着体Ｄ１に付設した場合、二重構造とした上層整形板１８と下層整形板１９のうち、下層整形板１９の横辺１９Ａ・１９Ｃに沿った部分は外部より見えるけれども、縦辺１９Ｂ・１９Ｄに沿った部分は、アーチ状なる天板１１により外部より見えることはないため、下層整形板１９の下層収納孔２２の横辺２２Ａ・２２Ｃの延長線上をそれぞれ分断し、下層整形板１９の横辺１９Ａと下層収納孔２２の横辺２２Ａ、及び、下層整形板１９の横辺１９Ｃと下層収納孔２２の横辺２２Ｃの間をそれぞれ巾とするところの帯状の２枚のスペーサーを設け、このスペーサーを上層整形板１８に、横辺１８Ａ・１８Ｃに沿って合成接着剤にて接着して、上層整��板１８の横辺１８Ａ・１８Ｃに沿った部分のみ二重構造としてもよい。【００５７】  また、上層整形板１８と下層整形板１９による二重構造とする場合に生じる二層間の境が外観的に好ましくないならば、上層整形板１８の四辺１８Ａ〜１８Ｄのうちの横辺１８Ａ・１８Ｃの延長上に折り返しを設け、この折り返しにて、下層整形板１９の横辺１９Ａ・１９Ｃ部分を巻き込んで下層整形板１９裏側に接着し、下層整形板１９が外部より見えないようにしてもよいし、また、整形体Ｃ２を構成する上層整形板１８と下層整形板１９を、木製板やプラスチック成形等にて一体としたものにしてもよい。
【実施例４】
【００５８】  次に、実施の形態４を示す図１３〜１５において、組立容器Ａ４は装着体Ｄ１・整形体Ｃ２・設置体Ｇより構成されており、実施の形態４は上述の実施の形態３における組立容器Ａ３の整形体Ｃ２上に設置体Ｇを付設する実施例であり、また、装着体Ｄ１・整形体Ｃ２は上述の実施の形態３におけるものと同等であり、この組立容器Ａ４は小さなスペースで保管・輸送が可能な折り畳み式組立容器となるものである。【００５９】  設置体Ｇは、厚み０．３ｍｍ程度の厚紙にて、四辺２４Ａ〜２４Ｄからなる四角形の外形形状からなり、四辺２５Ａ〜２５Ｄ、２６Ａ〜２６Ｄからなる四角形の互いに同等なる外形形状からなる上板２５・下板２６と、四辺２７Ａ〜２７Ｄ、２８Ａ〜２８Ｄからなる四角形の互いに同等なる外形形状からなる側板２７・２８の四面により、垂直断面形状が長方形なる筒状としており、また、長方形なる垂直断面形状の四角２４Ｊ〜２４Ｍのうちの角２４Ｍにて、側板２８にのり代２９を設けて下板２６に合成接着剤で貼り合わせている。【００６０】  また、この設置体Ｇは整形体Ｃ２上に載置するものであり、上板２５・下板２６の外形形状において横辺２５Ａ・２５Ｃと２６Ａ・２６Ｃは、整形体Ｃ２の縦辺２０Ｂ・２０Ｄと同等な大きさとし、また、上板２５は整形体Ｃ２と平行状態にて、上方向に整形体Ｃ２との間隔が広がる程に、上板２５の横辺２５Ａ・２５Ｃが、アーチ状に湾曲した天板１１に接触することとなり、上板２５の縦辺２５Ｂ・２５Ｄの長さは、整形体Ｃ２の横辺２０Ａ・２０Ｃの長さより短いものにする必要があり、上板２５・下板２６の大きさは整形体Ｃ２の外形形状より小さいものとなっている。【００６１】  また、上板２５・下板２６のそれぞれの中央には、整形体Ｃ２の上層固定孔２１とほぼ同等なる大きさにて、四辺３０Ａ〜３０Ｄ、３１Ａ〜３１Ｄからなる長方形の設置体固定孔３０・３１をそれぞれ設けており、この設置体固定孔３０・３１の長辺３０Ａ・３０Ｃ及び３１Ａ・３１Ｃは、上板２５・下板２６の横辺２５Ａ・２５Ｃ及び２６Ａ・２６Ｃにそれぞれ平行となるものであり、また、上板２５には縦辺２５Ｂ・２５Ｄに沿って、設置体固定孔３０より等間隔な位置に、ほぼ同等なる大きさからなる四辺形の係止孔２５Ｅ・２５Ｆを２個設けている。【００６２】  なお、設置体Ｇは、垂直断面形状を長方形なる筒状とするところの四角２４Ｊ〜２４Ｍに開閉自在な折り曲げ線２４Ｅ〜２４Ｈを配設して、扁平状に折り畳まれるものであるが、設置体Ｇを整形体Ｃ２上に載置した場合には、設置体固定孔３０・３１に連結体Ｆの連結体直立部１３Ｇを挿入されて、上板２５・下板２６は連結体直立部１３Ｇに規制されることとなり、設置体Ｇは扁平状に折り畳まれることはない。【００６３】  したがって、設置体Ｇの上板２５・下板２６の縦辺２５Ｂ・２５Ｄ及び２６Ｂ・２６Ｄが、整形体Ｃ２の横辺２０Ａ・２０Ｃに沿った方向にて、設置体Ｇを整形体Ｃ２上に設置し、上板２５・下板２６に設けた設置体固定孔３０・３１に、整形体Ｃ２の上層固定孔２１を貫通したところの連結体Ｆの連結体直立部１３Ｇを挿入するならば、設置体Ｇは整形体Ｃ２上に確実に固定されるとともに、設置体Ｇは垂直断面形状が長方形なる筒状状態に安定することとなる組立容器Ａ４は、収納物を天板１１の貫通孔１１Ｅ・１１Ｆに貫通して、収納物下部を上板２５の係止孔２５Ｅ・２５Ｆに埋没してこれを係止し、装着体Ｄ１に収納物を安定した状態にするとともに、小さなスペースで保管・輸送が可能な折り畳み式組立容器となる。【００６４】  上述の実施例において、設置体Ｇは厚紙製としているが、これをプラスチック板や木製板等とし、また、折り曲げを要する角にのみ折り曲げできるところの紙や軟質なるプラスチック板等を使用してもよい。【００６５】  また、設置体Ｇは、垂直断面形状を長方形として、上板２５・下板２６と側板２７・２８の四面により形成しているが、上板２５と下板２６の間隔が厚みとなるところの１枚のプラスチック板や木製板等にて設置体Ｇを成形し、これに設置体固定孔３０・３１及び係止孔２５Ｅ・２５Ｆと同等なる大きさの貫通孔を設けてもよいし、また、設置体固定孔３０・３１は上板２５・下板２６に共に設けており、設置体Ｇを裏返して上板２５を下にしても、設置体Ｇを整形体Ｃ２上に載置することにおいて問題はないこととなり、例えば生花の一輪挿しのための貯水容器を設置する場合、上板２５にはペットボトルのキャツプのような小さな貯水容器が埋没できる係止孔を設け、これより大きいコーヒー等の自動販売機用の紙コップのような大きな貯水容器が埋没できる係止孔を下板２６に設けて、必要に応じて設置体Ｇを裏返して、この上板２５・下板２６を使い分けしてもよい。【００６６】  また、設置体Ｇは、四角２４Ｊ〜２４Ｍのうちの角２４Ｍにて、側板２８にのり代２９を設けて下板２６に合成接着剤で貼り合わせているが、角２４Ｍ以外の三角２４Ｊ〜２４Ｌのうちの一角にてのり代をもって貼り合わせても問題はないし、また、設置体Ｇの側板２７・２８は、整形体Ｃ２の横辺２０Ａ・２０Ｃに沿って設けているが、上板２５・下板２６の設置体固定孔３０・３１の長辺３０Ａ・３０Ｃ及び３１Ａ・３１Ｃを、上板２５・下板２６の縦辺２５Ｂ・２５Ｄ及び２６Ｂ・２６Ｄにそれぞれ平行とするならば、この設置体Ｇの側板２７・２８は、整形体Ｃ２の縦辺２０Ｂ・２０Ｄに沿った方向に配設できることは言うまでもないことであり、また、設置体Ｇの上板２５と下板２６の外形形状の大きさを互いに同等とし、側板２７・２８の外形形状を四角形としているが、一対の上板２５・下板２６のうちの下板２６の大きさのみ整形体Ｃ２の大きさと同等として、側板２７・２８の対向する横辺２７Ａ・２７Ｃ及び２８Ａ・２８Ｃを、アーチ状に湾曲した天板１１に沿ったところの傾斜のあるものとし、側板２７・２８を台形なる外形形状としてもよい。【００６７】  また、設置体Ｇの係止孔２５Ｅ・２５Ｆは２個設けているが、数量に限定することなく、形状も四辺形に限定するものではないし、また、上板２５の係止孔２５Ｅ・２５Ｆよりも小さいところの係止補助孔を、下板２６に別途設けて、上板２５の係止孔２５Ｅ・２５Ｆを貫通した収納物下部を係止するようにしてもよいこととなるが、この時、この係止補助孔を有するところの補助板を別途設けて、下板２６上に付設して収納物下部を係止するようにしてもよいし、また、下板２６上にスポンジシート等を貼り付け、収納物の投入時のクッ���ョンにするとともに、収納物下部を係止するようにしてもよいが、このスポンジシート等だけで収納物が係止されて安定した状態になるのであれば、設置体Ｇから上板２５及び側板２７・２８を取り除き、スポンジシート等を貼り付けた下板２６だけにしてもよいことになる。
【実施例５】
【００６８】  次に、実施の形態５を示す図１６〜２３において、組立容器Ａ５は装着体Ｄ２・整形体Ｃ２・保持外枠Ｈ１・分割内枠Ｊより構成されており、実施の形態５は上述の実施の形態３における組立容器Ａ３の整形体Ｃ２上に、保持外枠Ｈ１・分割内枠Ｊを付設する実施例であり、また、整形体Ｃ２は上述の実施の形態３におけるものと同等であり、この組立容器Ａ５は小さなスペースで保管・輸送が可能な折り畳み式組立容器となるものである。【００６９】  装着体Ｄ２は、板状装着板Ｅ２と連結体Ｆから構成され、連結体Ｆは上述の実施の形態２におけるものと同等である。【００７０】  板状装着板Ｅ２は、天板３４と一対の左水平板３３・右水平板３５から構成されて、上述の実施の形態２における板状装着板Ｅ１と同等であり、板状装着板Ｅ２の辺３２Ａ〜３２Ｄ、折り曲げ線３２Ｅ・３２Ｆ、角３２Ｇ・３２Ｈ、天板３４の辺３４Ａ〜３４Ｄ、左水平板３３・右水平板３５の辺３３Ａ〜３３Ｄ・３５Ａ〜３５Ｄは、上述の実施の形態２の板状装着板Ｅ１の辺９Ａ〜９Ｄ、折り曲げ線９Ｅ・９Ｆ、角９Ｇ・９Ｈ、天板１１の辺１１Ａ〜１１Ｄ、左水平板１０・右水平板１２の辺１０Ａ〜１０Ｄ・１２Ａ〜１２Ｄにそれぞれ相当するものであるが、天板３４の中央の貫通孔３６は、天板３４を形成する四辺３４Ａ〜３４Ｄにそれぞれ平行するところの四辺３６Ａ〜３６Ｄからなる四角形としている。【００７１】  そして、板状装着板Ｅ２の左水平板３３・右水平板３５に、上述の実施の形態２の装着体Ｄ１と同様なる要領にて、連結体Ｆの連結板１４・１７を合成接着剤で貼り合わせて装着体Ｄ２を形成している。【００７２】  保持外枠Ｈ１は、厚み０．２ｍｍ程度の四辺３７Ａ〜３７Ｄからなる四角形の厚紙を用い、４枚の長方形の側板３７Ｅ〜３７Ｈからなるところの水平断面形状が正方形なる筒状にしたものであり、四角３７Ｎ〜３７Ｒのうちの角３７Ｎにて、一方の側板３７Ｈにのり代３７Ｉを設けて他方の側板３７Ｅに合成接着剤で貼り合わせており、また、四角３７Ｎ〜３７Ｒに開閉自在な折り曲げ線３７Ｊ〜３７Ｍを配設して、保持外枠Ｈ１は扁平状に折り畳まれるものであるが、保持外枠Ｈ１は板状装着板Ｅ２の天板３４がアーチ状に湾曲した状態における貫通孔３６にスムーズに挿入・取外しができるものとし、保持外枠Ｈ１の水平断面形状の大きさは、天板３４がアーチ状に湾曲した状態における上方向より見たところの貫通孔３６の大きさより一回り小さいものとしており、板状装着板Ｅ２の貫通孔３６における四辺３６Ａ〜３６Ｄのうちの横辺３６Ａ・３６Ｃは、縦辺３６Ｂ・３６Ｄより長いところの大きさとなっている。【００７３】  分割内枠Ｊは、分割内板Ｋと内枠仕切板Ｌより構成され、この分割内板Ｋは上述の保持外枠Ｈ１と同等であり、辺３８Ａ〜３８Ｄ、側板３８Ｅ〜３８Ｈ、のり代３８Ｉ、角３８Ｎ〜３８Ｒ、折り曲げ線３８Ｊ〜３８Ｍは、上述の保持外枠Ｈ１の辺３７Ａ〜３７Ｄ、側板３７Ｅ〜３７Ｈ、のり代３７Ｉ、角３７Ｎ〜３７Ｒ、折り曲げ線３７Ｊ〜３７Ｍにそれぞれ相当しているが、分割内板Ｋの水平断面形状の大きさは、保持外枠Ｈ１の水平断面形状の大きさより一回り小さいものとし、この保持外枠Ｈ１内にスムーズに挿入・取外しができる大きさとし、また、側板３８Ｅ〜３８Ｈの高さは保持外枠Ｈ１の側板３７Ｅ〜３７Ｈの高さとほぼ同等としている。【００７４】  また、内枠仕切板Ｌは厚み０．２ｍｍ程度の厚紙にて、四辺３９Ａ〜３９Ｄからなる四角形の外形形状からなる仕切板３９と、四辺４０Ａ〜４０Ｄ、４１Ａ〜４１Ｄからなる四角形の互いに同等なる外形形状からなる一対の接合板４０・４１の３面より構成され、仕切板３９の縦辺３９Ｂ・３９Ｄの延長上に接合板４０・４１をそれぞれ設けて、内枠仕切板Ｌの水平断面形状を逆コ字状としており、この仕切板３９は分割内板Ｋの対向する側板３８Ｆ・３８Ｈに平行となり、分割内板Ｋをほぼ２分割するように分割内板Ｋ内に付設するものであり、仕切板３９の横辺３９Ａ・３９Ｃは分割内板Ｋ内に収まる大きさとし、一対の接合板４０と４１の横辺４０Ａ・４０Ｃと４１Ａ・４１Ｃは、分割内板Ｋ内を二等分した大きさより短いものとして、また、内枠仕切板Ｌの仕切板３９及び接合板４０・４１の高さは分割内板Ｋの側板３８Ｅ〜３８Ｈの高さとほぼ同等としている。【００７５】  そして、内枠仕切板Ｌの接合板４０・４１を、分割内板Ｋの側板３８Ｅ・３８Ｇにそれぞれ合成接着剤で貼り合わせているが、側板３８Ｆ・３８Ｈにそれぞれ貼り合わせてもよいとともに、内枠仕切板Ｌの水平断面形状を逆コ字状とするところの二角３９Ｅ・３９Ｆには開閉自在な折り曲げ線３９Ｇ・３９Ｈを配設しており、分割内板Ｋは内枠仕切板Ｌを付設した状態にて扁平状に折り畳まれることとなる。【００７６】  したがって、保持外枠Ｈ１を天板３４の貫通孔３６に貫通して、この下部開口３７Ｔを整形体Ｃ２上に設置し、そして、分割内板Ｋと内枠仕切板Ｌからなる分割内枠Ｊを保持外枠Ｈ１内に付設し、分割内板Ｋの一対の上部開口３８Ｓ・３８Ｔ内に造花や事務用ボールペン等の収納物を分割して投入するならば、分割した収納物を保持外枠Ｈ１内に保持し、保持外枠Ｈ１を装着体Ｄ２に安定した直立状態にて着脱自在に装着されることとなる組立容器Ａ５は、保持外枠Ｈ１及び分割内枠Ｊが、装着体Ｄ２とともに開閉自在なる折り曲げ線をもって扁平状に折り畳みができ、小さなスペースで保管・輸送が可能な折り畳み式組立容器となるが、保持外枠Ｈ１を分割収納とすることが固定化されるのであれば、内枠仕切板Ｌを、仕切板３９の横辺３９Ａ・３９Ｃが保持外枠Ｈ１内に収まる大きさからなる外枠仕切板として、保持外枠Ｈ１の側板に外枠仕切板を直接に接着してもよいし、また、収納物を分割して収納する必要がない場合には、分割内枠Ｊまたは外枠仕切板を取り除いて、保持外枠Ｈ１の上部開口３７Ｓ内に収納物を投入してもよいことは言うまでもない。【００７７】  上述の実施例において、保持外枠Ｈ１、分割内枠Ｊは厚紙製としているが、これをプラスチック板や木製板等とし、また、折り曲げを要する角にのみ折り曲げできるところの紙や、軟質なるプラスチック板等を使用してもよい。【００７８】  また、保持外枠Ｈ１を天板３４の貫通孔３６に貫通する場合、保持外枠Ｈ１の水平断面形状を正方形としており、４枚の側板３７Ｅ〜３７Ｈのうちのどの側板でも、貫通孔３６の四辺３６Ａ〜３６Ｄに自由に対応して貫通することができるが、保持外枠Ｈ１が装着体Ｄ２に安定した直立状��にて装着できる範囲内にて、保持外枠Ｈ１の水平断面形状を正方形より開口面積の大きいところの長方形として、より多くの収納物を保持するようにしてもよい。【００７９】  また、保持外枠Ｈ１と分割内板Ｋを、折り畳みができるところの水平断面形状が正方形にて、のり代３７Ｉ又は３８Ｉをもって接着して筒状としているが、これを接着しないところの展開状態とし、この組立容器Ａ５の使用時にこれらを接着して筒状とするならば、保持外枠Ｈ１と分割内板Ｋは折り畳みができないものであってもよいこととなり、水平断面形状も四角形に限定しなくてもよいこととなる。【００８０】  また、保持外枠Ｈ１の側板３７Ｅ〜３７Ｈに、ある程度の強度を必要とする場合、上部開口縁３７Ｕで折り返して側板３７Ｅ〜３７Ｈを二重構造とし、さらに、この二重構造の間に別の補強板を下方向より挿入するならば、保持外枠Ｈ１はより強度のあるものとなり、また、分割内板Ｋにおいても、側板３８Ｅ〜３８Ｈを二重構造とし、別の補強板を下方向より挿入してもよいこととなり、また、４枚の側板３７Ｅ〜３７Ｈからなる保持外枠Ｈ１は、四角３７Ｎ〜３７Ｒのうちの角３７Ｎにて、一方の側板３７Ｈにのり代３７Ｉを設けて他方の側板３７Ｅに合成接着剤で貼り合わせているが、角３７Ｎ以外の三角３７Ｐ〜３７Ｒのうちの一角にてのり代をもって貼り合わせてもよいし、同様にして、分割内板Ｋにおいても、角３８Ｎ以外の三角３８Ｐ〜３８Ｎのうちの一角にてのり代をもって貼り合わせてもよい。【００８１】  また、内枠仕切板Ｌの仕切板３９に、ある程度の強度を必要とする場合、上辺３９Ａで折り返して仕切板３９を二重構造とし、この二重構造となる折り返した仕切板の縦辺にも、内枠仕切板Ｌの接合板４０・４１と同等なる一対の接合板を設ける、すなわち、水平断面形状がコ字状なるところの内枠仕切板Ｌと対称的なものを設けて、この一対の接合板を分割内板Ｋに合成接着剤で貼り合わせてもよい。【００８２】  また、内枠仕切板Ｌの仕切板３９は、分割内板Ｋをほぼ２分割するように分割内板Ｋ内に付設しているが、この仕切板３９が分割内板Ｋを正確に二等分するならば、仕切板３９は連結体Ｆの連結体直立部１３Ｇ上に位置されることとなるが、この連結体Ｆの折り曲げ線１３Ｈ〜１３Ｊにより、連結体直立部１３Ｇはある程度の角度をもって傾斜することは可能であり、分割内枠Ｊは整形体Ｃ２上に設置することはできる。
【実施例６】
【００８３】  次に、実施の形態６を示す図２４〜２８において、組立容器Ａ６は装着体Ｄ２・整形体Ｃ２・保持外枠Ｈ１・保持内枠Ｍ１・分割貯水容器Ｑ１・Ｑ２より構成されており、実施の形態６は上述の実施の形態５における組立容器Ａ５の保持外枠Ｈ１内に、保持内枠Ｍ１・分割貯水容器Ｑ１・Ｑ２を装着する実施例であり、また、装着体Ｄ２・整形体Ｃ２・保持外枠Ｈ１は、上述の実施の形態５におけるものと同等であり、この組立容器Ａ６は、小さなスペースで保管・輸送が可能な折り畳み式組立容器となるものである。【００８４】  保持内枠Ｍ１は、保持内板Ｎ１と左分割保持板Ｐ１・右分割保持板Ｐ２より構成され、この保持内板Ｎ１は、厚み０．２ｍｍ程度の四辺４２Ａ〜４２Ｄからなる四角形の厚紙を用いて、四辺４３Ａ〜４３Ｄ・４４Ａ〜４４Ｄからなる正方形の上板４３・下板４４と、四辺４５Ａ〜４５Ｄ・４６Ａ〜４６Ｄからなる長方形の側板４５・４６により垂直断面形状が長方形なる筒状にしたものであり、上板４３・下板４４の正方形の外形形状は、保持外枠Ｈ１の正方形の水平断面形状より一回り小さく、保持内板Ｎ１は保持外枠Ｈ１内にスムーズに挿入・取外しができる大きさとし、また、側板４５・４６の横辺４５Ａ・４５Ｃ及び４６Ａ・４６Ｃは、保持外枠Ｈ１の側板３７Ｅ〜３７Ｈの高さより短いものとなっている。【００８５】  また、長方形なる垂直断面形状の四角４２Ｊ〜４２Ｍのうちの角４２Ｊにて、上板４３にのり代４７を設けて側板４６に合成接着剤で貼り合わせており、四角４２Ｊ〜４２Ｍに開閉自在な折り曲げ線４２Ｅ〜４２Ｈを配設して、この保持内板Ｎ１は扁平状に折り畳まれるものであるが、保持内板Ｎ１の上板４３には収納物を分割して投入するところの一対の丸孔４８Ａ・４８Ｂを設け、下板４４の中央には、整形体Ｃ２の上層固定孔２１とほぼ同等なる大きさにて、四辺４９Ａ〜４９Ｄからなる長方形の内枠固定孔４９を設けており、この内枠固定孔４９の長辺４９Ｂ・４９Ｄは、保持内板Ｎ１を形成する折り曲げ線４２Ｅ〜４２Ｈにそれぞれ平行となるものである。【００８６】  また、厚み０．２ｍｍ程度の四角形からなる厚紙を用いて、開閉自在な折り曲げ線５２Ａをもって垂直断面形状がＬ字状に折り曲げた保持板５２と固定板５３からなる右分割保持板Ｐ２と、この右分割保持板Ｐ２と対称的であり開閉自在な折り曲げ線５０Ａをもって垂直断面形状が逆Ｌ字状に折り曲げた保持板５０と固定板５１からなる左分割保持板Ｐ１において、一対の保持板５０・５２が内枠固定孔４９の長辺４９Ｂ・４９Ｄに沿って直立するように、一対の固定板５１・５３を保持内板Ｎ１の下板４４に合成接着剤にて接着している。【００８７】  そして、一対のプラスチック成形品からなる分割貯水容器Ｑ１・Ｑ２を、下板４４に接着した左分割保持板Ｐ１・右分割保持板Ｐ２のそれぞれの固定板５１・５３上に設置した保持内枠Ｍ１を、保持外枠Ｈ１内に挿入する時、保持内板Ｎ１の下板４４の内枠固定孔４９に、連結体Ｆの連結体直立部１３Ｇを挿入することとなるが、左分割保持板Ｐ１・右分割保持板Ｐ２により連結体直立部１３Ｇが、分割貯水容器Ｑ１・Ｑ２に接触することなく、スムーズに挿入できることとなり、また、上板４３に設けた丸孔４８Ａ・��８Ｂをもって、保持外枠Ｈ１内に装着した保持内枠Ｍ１を上方向に引き上げるならば、分割貯水容器Ｑ１・Ｑ２は簡単に取り出されることとなる。【００８８】  したがって、対向する上板４３・下板４４と、側板４５・４６をもって形成する保持内板Ｎ１の下板４４上に設置するところの一対の分割貯水容器Ｑ１・Ｑ２は、この取付け・取外しが簡単となるものであり、また、保持内枠Ｍ１を保持外枠Ｈ１内に挿入する時、連結体Ｆの連結体直立部１３Ｇを下板４４に設ける内枠固定孔４９に挿入して、保持内枠Ｍ１が保持外枠Ｈ１内に安定した状態に固定され、保持外枠Ｈ１が装着体Ｄ２に着脱自在にて安定した状態に固定されるとともに、保持外枠Ｈ１に生花を分割して安定した状態にすることができる組立容器Ａ６は、装着体Ｄ２・保持外枠Ｈ１・保持内枠Ｍ１が開閉自在なる折り曲げ線をもって扁平状に折り畳みができ、小さなスペースで保管・輸送が可能な折り畳み式組立容器となるが、一対の分割貯水容器Ｑ１・Ｑ２に生花を分割して投入する必要がない場合には、収納物を投入するところの一つの丸孔を中央に設けた上板４３と、内枠固定孔４９及び左分割保持板Ｐ１・右分割保持板Ｐ２を配設しないところの下板４４からなる保持内板Ｎ１とし、一つの貯水容器を設置した下板４４を、連結体Ｆの連結体直立部１３Ｇ上に載置してもよい。【００８９】  上述の実施例において、保持内枠Ｍ１は厚紙製としているが、これをプラスチック板や木製板等とし、また、折り曲げ線を要する角にのみ折り曲げできるところの紙や、軟質なるプラスチック板等を使用してもよい。【００９０】  また、保持内板Ｎ１は、２枚の側板４５・４６をもって保持外枠Ｈ１内に挿入・取外しをしているが、これを４枚の側板からなる水平断面形状を４面体とするならば、より安定したものになることは言うまでもないことであり、そこで、側板４５・４６のそれぞれの一対の横辺４５Ａ・４５Ｃ及び４６Ａ・４６Ｃのうちの、保持内板Ｎ１の水平断面形状を４面体とした時に形成される交差する対角線上に位置することとなる横辺４５Ａと４６Ｃ、または、横辺４５Ｃと４６Ａの延長上に、開閉自在な折り曲げ線をもって補強側板をそれぞれ付設して保持内板Ｎ１の水平断面形状を４面体にするならば、これにより形成される対向する２角の折り曲げ部により保持内板Ｎ１はより安定したものとなり、この補強側板は折り曲げ線をもって開閉自在であり、保持内板Ｎ１は扁平状に折り畳みができて、分割貯水容器Ｑ１・Ｑ２の装着にも問題はないとともに、保持内板Ｎ１は四角４２Ｊ〜４２Ｍのうちの角４２Ｊにて、のり代４７を設けて合成接着剤で貼り合わせているが、角４２Ｊ以外の三角４２Ｋ〜４２Ｍのうちの一角にてのり代をもって貼り合わせても問題はない。【００９１】  また、分割貯水容器Ｑ１・Ｑ２は、プラスチック成形品としているが、保持外枠Ｈ１と同様な要領からなる厚紙製の筒状なものに、上部開口縁に沿って市販の貯水用ポリ袋を合成接着剤にて接着するとか、または、ステイプラー等で接合して貯水容器としてもよいし、また、プラスチック成形品であっても使用しない時は、小さなスペースで保管・輸送するために、ある程度扁平状に折り畳みのできる構造、または、材質であることが望ましいことは言うまでもない。【００９２】  また、左分割保持板Ｐ１・右分割保持板Ｐ２は、分割貯水容器Ｑ１・Ｑ２を載置した保持内枠Ｍ１を保持外枠Ｈ１内に挿入する時、連結体Ｆの連結体直立部１３Ｇが分割貯水容器Ｑ１・Ｑ２に接触することのないように設けたものであるが、左分割保持板Ｐ１・右分割保持板Ｐ２がなくても、細心の注意を払うならば、連結体直立部１３Ｇが分割貯水容器Ｑ１・Ｑ２に接触しないようにすることは可能であり、この左分割保持板Ｐ１・右分割保持板Ｐ２は必ず必要とするものではない。
【実施例７】
【００９３】  次に、実施の形態７を示す図２９〜３２において、組立容器Ａ７は装着体Ｄ３・整形体Ｃ２・自立保持外枠Ｈ２より構成されており、実施の形態７は上述の実施の形態３における組立容器Ａ３の整形体Ｃ２上に自立保持外枠Ｈ２を付設する実施例であり、また、整形体Ｃ２は上述の実施の形態３におけるものと同等であり、この組立容器Ａ７は小さなスペースで保管・輸送が可能な折り畳み式組立容器となるものである。【００９４】  装着体Ｄ３は、板状装着板Ｅ３と連結体Ｆから構成され、連結体Ｆは上述の実施の形態２におけるものと同等である。【００９５】  板状装着板Ｅ３は、天板５６と一対の左水平板５５・右水平板５７から構成されて、上述の実施の形態２における板状装着板Ｅ１と同等であり、板状装着板Ｅ３の辺５４Ａ〜５４Ｄ、折り曲げ線５４Ｅ・５４Ｆ、角５４Ｇ・５４Ｈ、天板５６の辺５６Ａ〜５６Ｄ、左水平板５５・右水平板５７の辺５５Ａ〜５５Ｄ・５７Ａ〜５７Ｄは、上述の実施の形態２の板状装着板Ｅ１の辺９Ａ〜９Ｄ、折り曲げ線９Ｅ・９Ｆ、角９Ｇ・９Ｈ、天板１１の辺１１Ａ〜１１Ｄ、左水平板１０・右水平板１２の辺１０Ａ〜１０Ｄ・１２Ａ〜１２Ｄにそれぞれ相当するものであるが、天板５６の中央の貫通孔５８は、外形形状が四辺形にて交差する対角線５８Ａと５８Ｂは、天板５６の縦辺５６Ｂ・５６Ｄ、及び、横辺５６Ａ・５６Ｃにそれぞれ平行となるものである。【００９６】  自立保持外枠Ｈ２は、上述の実施の形態５の保持外枠Ｈ１と同等であり、辺５９Ａ〜５９Ｄ、側板５９Ｅ〜５９Ｈ、のり代５９Ｉ、角５９Ｎ〜５９Ｒ、折り曲げ線５９Ｊ〜５９Ｍ、上部開口５９Ｓ、下部開口５９Ｔ、上部開口縁５９Ｕは、上述の実施の形態５の保持外枠Ｈ１の辺３７Ａ〜３７Ｄ、側板３７Ｅ〜３７Ｈ、のり代３７Ｉ、角３７Ｎ〜３７Ｒ、折り曲げ線３７Ｊ〜３７Ｍ、上部開口３７Ｓ、下部開口３７Ｔ、上部開口縁３７Ｕにそれぞれ相当するものであるが、上述の実施の形態５における保持外枠Ｈ１と天板３４の貫通孔３６との対応と同様にして、自立保持外枠Ｈ２の水平断面形状の大きさは、天板５６がアーチ状に湾曲した状態における上方向より見たところの貫通孔５８より一回り小さいものとし、上述の板状装着板Ｅ３の貫通孔５８における交差する対角線５８Ａと５８Ｂのうち、天板５６の横辺５６Ａ・５６Ｃに平行となる対角線５８Ｂは、天板５６の縦辺５６Ｂ・５６Ｄに平行となる対角線５８Ａより長いものとなっている。【００９７】  また、自立保持外枠Ｈ２を整形体Ｃ２上に係止するために、下部開口５９Ｔの交差する対角線５９Ｖ・５９Ｗのうちの片方の対角線上に連結体Ｆの連結体直立部１３Ｇを嵌め込むこととなり、この対角線５９Ｖ・５９Ｗの長さは、連結体直立部１３Ｇの長さ、すなわち、連結体Ｆの縦辺１３Ｂ・１３Ｄとほぼ同等な長さとしているが、この連結体直立部１３Ｇがスムーズに挿入・取外しができるように、対角線５９Ｖ・５９Ｗは連結体直立部１３Ｇの縦辺１３Ｂ・１３Ｄよりは長いものとしている。【００９８】  したがって、装着体Ｄ３の天板５６の貫通孔５８に自立保持外枠Ｈ２を貫通し、この自立保持外枠Ｈ２の上部開口５９Ｓ内に造花や事務用ボールペン等の収納物を投入して、この収納物を自立保持外枠Ｈ２内に保持し、自立保持外枠Ｈ２の下部開口５９Ｔの交差する対角線５９Ｖ・５９Ｗのうちの片方の対角線上に、連結体Ｆの連結体直立部１３Ｇを嵌め込んで、自立保持外枠Ｈ２を装着体Ｄ３に安定した直立状態にて着脱自在に装着されることとなる組立容器Ａ７は、自立保持外枠Ｈ２が装着体Ｄ３とともに開閉自在なる折り曲げ線をもって扁平状に折り畳みができ、小さなスペースで保管・輸送が可能な折り畳み式組立容器となる。【００９９】  上述の実施例において、自立保持外枠Ｈ２の上部開口５９Ｓ・下部開口５９Ｔのうち、上部開口５９Ｓは天板５６の貫通孔５８により装着体Ｄ３に固定され、下部開口５９Ｔは連結体Ｆの連結体直立部１３Ｇを嵌め込んで装着体Ｄ３に固定されているが、この自立保持外枠Ｈ２の側板５９Ｅ〜５９Ｈの高さを短くして、自立保持外枠Ｈ２の上部開口５９Ｓが貫通孔５８に貫通しなくなる、すなわち、下部開口５９Ｔ内に連結体直立部１３Ｇを嵌め込むだけとなっても、自立保持外枠Ｈ２は装着体Ｄ３に固定できるものであり、自立保持外枠Ｈ２の側板５９Ｅ〜５９Ｈの高さが短くなることにより、生花を生けるための貯水容器が自立保持外枠Ｈ２内に容易に装着できることとなるが、逆Ｕ字状に形成できる置台を自立保持外枠Ｈ２内に設けて、この置台上に貯水容器を載置して貯水容器を安定させるようにしてもよい。
【実施例８】
【０１００】  次に、実施の形態８を示す図３３〜３８において、組立容器Ａ８は装着体Ｄ４・整形体Ｃ２・壁掛保持外枠Ｈ３・壁掛保持内枠Ｍ２・壁掛貯水容器Ｑ３より構成されており、実施の形態８は上述の実施の形態６における組立容器Ａ６の水平状態の装着体Ｄ２を垂直状態にする実施例であり、また、整形体Ｃ２は上述の実施の形態３におけるものと同等であり、この組立容器Ａ８は小さなスペースで保管・輸送が可能な壁掛用の折り畳み式組立容器となるものである。【０１０１】  壁掛保持外枠Ｈ３は、上述の実施の形態５の保持外枠Ｈ１と同等であり、辺６６Ａ〜６６Ｄ、側板６６Ｅ〜６６Ｈ、のり代６６Ｉ、角６６Ｎ〜６６Ｒ、折り曲げ線６６Ｊ〜６６Ｍ、上部開口６６Ｓ、下部開口６６Ｔ、上部開口縁６６Ｕは、上述の実施の形態５の保持外枠Ｈ１の辺３７Ａ〜３７Ｄ、側板３７Ｅ〜３７Ｈ、のり代３７Ｉ、角３７Ｎ〜３７Ｒ、折り曲げ線３７Ｊ〜３７Ｍ、上部開口３７Ｓ、下部開口３７Ｔ、上部開口縁３７Ｕにそれぞれ相当するものである。【０１０２】  壁掛保持内枠Ｍ２は、上述の実施の形態６の保持内板Ｎ１と同等であり、辺６７Ａ〜６７Ｄ、上板６８・下板６９、側板７０・７１、辺６８Ａ〜６８Ｄ、６９Ａ〜６９Ｄ、７０Ａ〜７０Ｄ、７１Ａ〜７１Ｄ、折り曲げ線６７Ｅ〜６７Ｈ、角６７Ｊ〜６７Ｍ、のり代７２は、上述の実施の形態６の保持内板Ｎ１の辺４２Ａ〜４２Ｄ、上板４３・下板４４、側板４５・４６、辺４３Ａ〜４３Ｄ、４４Ａ〜４４Ｄ、４５Ａ〜４５Ｄ、４６Ａ〜４６Ｄ、折り曲げ線４２Ｅ〜４２Ｈ、角４２Ｊ〜４２Ｍ、のり代４７にそれぞれ相当するものであるが、上板６８には一つの丸孔７３を設け、下板６９には上述の実施の形態６の保持内板Ｎ１の内枠固定孔４９に相当するものは設けておらず、また、上板６８・下板６９の正方形の外形形状は、壁掛保持外枠Ｈ３の正方形の水平断面形状より一回り小さく、壁掛保持内枠Ｍ２は壁掛保持外枠Ｈ３内にスムーズに挿入・取外しができる大きさとし、側板７０・７１の高さは、壁掛保持外枠Ｈ３の側板６６Ｅ〜６６Ｈの高さより短いものとし、また、下板６９上に壁掛貯水容器Ｑ３を設置している。【０１０３】  装着体Ｄ４は、板状装着板Ｅ４と連結板Ｆから構成され、連結板Ｆは上述の実施の形態２におけるものと同等である。【０１０４】  板状装着板Ｅ４は、天板６２と一対の左水平板６１・右水平板６３から構成されて、上述の実施の形態２における板状装着板Ｅ１と同等であり、辺６０Ａ〜６０Ｄ、折り曲げ線６０Ｅ・６０Ｆ、角６０Ｇ・６０Ｈ、天板６２の辺６２Ａ〜６２Ｄ、左水平板６１・右水平板６２の辺６１Ａ〜６１Ｄ・６２Ａ〜６２Ｄは、上述の実施の形態２の板状装着板Ｅ１の辺９Ａ〜９Ｄ、折り曲げ線９Ｅ・９Ｆ、角９Ｇ・９Ｈ、天板１１の辺１１Ａ〜１１Ｄ、左水平板１０・右水平板１２の辺１０Ａ〜１０Ｄ・１２Ａ〜１２Ｄにそれぞれ相当するものであるが、上述の実施の形態２においては板状装着板Ｅ１の左水平板１０・右水平板１２、及び、連結体Ｆの連結板１４・１７は水平状態としていたが、板状装着板Ｅ４の左水平板６１・右水平板６３は、天板６２の四辺６２Ａ〜６２Ｄのうちの縦辺６２Ｄを上に、縦辺６２Ｂを下にして垂直状態とし、また、この左水平板６１・右水平板６３に接��する連結体Ｆの連結板１４・１７も垂直状態となっている。【０１０５】  また、上述の実施の形態２においては天板１１に２つの貫通孔１１Ｅ・１１Ｆを設けているが、天板６２においては、天板６２の四辺６２Ａ〜６２Ｄにそれぞれ平行とするところの、四辺６４Ａ〜６４Ｄと６５Ａ〜６５Ｄからなる四辺形の貫通孔６４と係止孔６５を上下に２つ設けて、このうちの貫通孔６４は、壁掛保持内枠Ｍ２・壁掛貯水容器Ｑ３を装着した壁掛保持外枠Ｈ３を、アーチ状の天板６２の湾曲内に上方向よりスムーズに挿入・取外しができる大きさとしており、上述の実施の形態５における保持外枠Ｈ１と天板３４の貫通孔３６との対応と同様にして、壁掛保持外枠Ｈ３の水平断面形状の大きさは、天板６２がアーチ状に湾曲した状態における上方向より見たところの貫通孔６４より一回り小さいものとし、また、貫通孔６４の四辺６４Ａ〜６４Ｄのうちの横辺６４Ａ・６４Ｃは、縦辺６４Ｂ・６４Ｄより長いところの大きさとなっている。【０１０６】  また、壁掛保持外枠Ｈ３を貫通する貫通孔６４に対して、係止孔６５は壁掛保持外枠Ｈ３を貫通することはなく、壁掛保持外枠Ｈ３の下部開口６６Ｔの一部分のみアーチ状の天板６２の湾曲内より突出させるものであり、この壁掛保持外枠Ｈ３の下部開口６６Ｔが、係止孔６５の四辺６５Ａ〜６５Ｄのうちの下辺６５Ｂに係止されて、これより落下することのないように、壁掛保持内枠Ｍ２・壁掛貯水容器Ｑ３を装着した壁掛保持外枠Ｈ３は装着体Ｄ４に保持されることとなるが、垂直状態なる装着体Ｄ４に平行に配設されることとなる壁掛保持外枠Ｈ３が、水平状態となる連結体Ｆの連結体直立部１３Ｇに接触することのない間隔をもつ必要があることは言までもない。【０１０７】  したがって、上述の実施の形態２と同様な要領にて組立した装着体Ｄ４・整形体Ｃ２と、上述の実施の形態６と同様な要領にて組立した壁掛保持外枠Ｈ３・壁掛保持内枠Ｍ２・壁掛貯水容器Ｑ３からなる小さなスペースで保管・輸送が可能な組立容器Ａ８において、左水平板６１・右水平板６３が垂直状態なる装着体Ｄ４の、天板６２の上部の貫通孔６４に挿入した壁掛保持外枠Ｈ３が、下部の係止孔６５にて係止されて、壁掛保持内枠Ｍ２・壁掛貯水容器Ｑ３を装着した壁掛保持外枠Ｈ３が、装着体Ｄ４に着脱自在に設置される壁掛用の折り畳み式組立容器となるが、生花を生ける必要がない場合には、壁掛貯水容器Ｑ３は不要となり、生花以外の収納物においても、壁掛保持内枠Ｍ２の下板６９により落下しないように係止されることは言うまでもない。【０１０８】  上述の実施例において、この組立容器Ａ８を部屋の壁面等に掲示するとなれば、別途、垂直状態とした装着体Ｄ４に掲示片等を付設する必要が生じてくるが、そこで、上部の左水平板６１に、天板６２の縦辺６２Ｄを基点としてミシン目等により囲まれた掲示片を設けて、この掲示片を折り曲げ線６０Ｅをもって上方向に１８０度開放して、この掲示片を部屋の壁面等に押しピン等で掲示してもよいし、また、この掲示片に孔を設けて、吊り下げフック、又は、吊り下げ紐等で掲示してもよい。【０１０９】  また、天板６２はアーチ状に湾曲しているが、天板６２には収納物等の重量が加わることにより、アーチ状の湾曲状態���下方向に変形しやすくなるので、アーチ状に湾曲する天板６２と整形体Ｃ２が形成するほぼ半円形のスペースにおいて、天板６２上部の角６０Ｇ付近の、整形体Ｃ２と天板６２が交わるところの角と、整形体Ｃ２の中間に位置する整形体Ｃ２と連結体直立部１３Ｇが交わるところの二角間に、平行する二辺が収まるところの四辺形の変形防止板を設け、この二辺の中間に設ける折り曲げ線をもって変形防止板を山形とし、この山形の頂点部分を、アーチ状なる天板６２の湾曲内面に接触させて、アーチ状の湾曲状態を変形しないようにしてもよいし、また、この変形防止板の二辺のうちの一方を、上述の二角のうちの一方に接合して安定するものとしてもよい。
【符号の説明】
【０１１０】      Ａ１〜Ａ８  組立容器
Ｂ  環状装着板
Ｃ１  整形板
Ｃ２  整形体
Ｄ１〜Ｄ４  装着体
Ｅ１〜Ｅ４  板状装着板
Ｆ  連結体
Ｇ  設置体
Ｈ１  保持外枠
Ｈ２  自立保持外枠
Ｈ３  壁掛保持外枠
Ｊ  分割内枠
Ｋ  分割内板
Ｌ  内枠仕切板
Ｍ１  保持内枠
Ｍ２  壁掛保持内枠
Ｎ１  保持内板
Ｐ１  左分割保持板
Ｐ２  右分割保持板
Ｑ１・Ｑ２  分割貯水容器
Ｑ３  壁掛貯水容器
【図１】
0003163521.tif 000003
【図２】
0003163521.tif 000004
【図３】
0003163521.tif 000005
【図４】
0003163521.tif 000006
【図５】
0003163521.tif 000007
【図６】
0003163521.tif 000008
【図７】
0003163521.tif 000009
【図８】
0003163521.tif 000010
【図９】
0003163521.tif 000011
【図１０】
0003163521.tif 000012
【図１１】
0003163521.tif 000013
【図１２】
0003163521.tif 000014
【図１３】
0003163521.tif 000015
【図１４】
0003163521.tif 000016
【図１５】
0003163521.tif 000017
【図１６】
0003163521.tif 000018
【図１７】
0003163521.tif 000019
【図１８】
0003163521.tif 000020
【図１９】
0003163521.tif 000021
【図２０】
0003163521.tif 000022
【図２１】
0003163521.tif 000023
【図２２】
0003163521.tif 000024
【図２３】
0003163521.tif 000025
【図２４】
0003163521.tif 000026
【図２５】
0003163521.tif 000027
【図２６】
0003163521.tif 000028
【図２７】
0003163521.tif 000029
【図２８】
0003163521.tif 000030
【図２９】
0003163521.tif 000031
【図３０】
0003163521.tif 000032
【図３１】
0003163521.tif 000033
【図３２】
0003163521.tif 000034
【図３３】
0003163521.tif 000035
【図３４】
0003163521.tif 000036
【図３５】
0003163521.tif 000037
【図３６】
0003163521.tif 000038
【図３７】
0003163521.tif 000039
【図３８】
0003163521.tif 000040